(57)【要約】【課題】お年寄り等が日常の歩行時に欠かせない杖と、降雨時に差す傘とを、簡便構造ながら簡単かつ安全に合体できて使い勝手がよく、製造コストの低減も図った杖と傘の合体用接続具を提供する。【解決手段】杖１と傘２の合体用の接続具３であって、下方で杖１の握持部１１を保持する杖保持部４と、上方で傘２の柄２０を保持する傘保持部７とを備えており、杖１と傘２が当該接続具３の前記杖保持部４と傘保持部７に保持されることにより一体的に合体される構成である。【選択図】     図１
0003184256.tif 000002
【実用新案登録請求の範囲】
【請求項１】
杖と傘の合体用の接続具であって、下方で杖の握持部を保持する杖保持部と、上方で傘の柄を保持する傘保持部とを備えており、杖と傘が当該接続具の前記杖保持部と傘保持部に保持されることにより一体的に合体される構成であることを特徴とする杖と傘の合体用接続具。
【請求項２】
杖保持部に対し、杖の握持部が水平方向に着脱自在であることを特徴とする請求項１に記載した杖と傘の合体用接続具。
【請求項３】
杖保持部は、水平方向視形状がＣ形で水平方向に貫通する杖嵌挿部を備え、当該杖嵌挿部には杖の握持部が水平方向から前記杖嵌挿部に嵌挿可能な横切欠部が形成されていると共に、杖の柄が水平方向から前記杖嵌挿部に嵌挿可能な下切欠部が形成されて成ることを特徴とする請求項１又は２に記載した杖と傘の合体用接続具。
【請求項４】
杖保持部がクリップ又は固定バンドで構成されていることを特徴とする請求項１又は２に記載した杖と傘の合体用接続具。
【請求項５】
傘保持部に対し、傘の柄が水平方向に着脱自在であることを特徴とする請求項１に記載した杖と傘の合体用接続具。
【請求項６】
傘保持部は、平面方向視形状がＣ形で垂直方向に貫通する傘嵌挿部を備え、当該傘嵌挿部には傘の柄が水平方向から前記傘嵌挿部に嵌挿可能な縦切欠部が形成されて成ることを特徴とする請求項１又は５に記載した杖と傘の合体用接続具。
【請求項７】
傘保持部に締付け具が装着されており、傘の柄が前記傘保持部に嵌挿された状態で締付け具が作動されることにより、前記傘の柄が傘保持部に固定されることを特徴とする請求項１又は５又は６に記載した杖と傘の合体用接続具。
【請求項８】
傘保持部がクリップ又は固定バンドで構成されていることを特徴とする請求項１又は５に記載した杖と傘の合体用接続具。
【考案の詳細な説明】
【技術分野】
【０００１】
本考案は、お年寄りや身体障がい者等が歩行時に欠かせない杖と、降雨時に差す傘とを合体する杖と傘の合体用接続具の技術分野に関する。
【背景技術】
【０００２】
足腰が弱まってきたお年寄りや障がい者は、杖を使うことで安全な歩行が確保されている。
【０００３】
しかし、降雨時に外出しなければならない時は、片方の手で傘を差しつつ、他方の手で杖を突きながら歩かざるを得ず、甚だ歩行が困難である。荷物を持っているときは、杖か傘を握っている前記いずれかの手に荷物を併せて持つ必要があり、歩行上極めて危険である。
【０００４】
これに関連し、例えば下記特許文献１（請求項１）に記載のように、人を支え得る杖本体と、該杖本体の上端に設けられ、傘の機能を発揮可能に該傘を装着可能な装着手段（取付部材）とを有することを特徴とする傘装着可能杖が開示されている。
【先行技術文献】
【特許文献】
【０００５】
【特許文献１】登録第３０７７２９７号登録実用新案公報
【考案の概要】
【考案が解決しようとする課題】
【０００６】
前記特許文献１に開示された考案は、図２に示したように、装着部材たる取付部材Ｔが、嵌め板ｆと、この嵌め板ｆと一体をなし、嵌め板ｆから上方に延在する棒部材ｇとから構成されており、嵌め板ｆは把持部ｂに冠着可能な形状をなし、この嵌め板ｆの端部ｅには貫通孔（図示省略）が形成され、この貫通孔にフックｈのボルト螺子ｊを挿通し、ボルト螺子ｊにナットｉを螺合させることができるようになっている。更に棒部材ｇは、嵌め板ｆ側の筒状部材ｋと、その筒状部材ｋの上端に設けられた管継手ｍと、その管継手ｍによって固定され、筒状部材ｋ内から上方に延びる柱状部材ｎとから成り、柱状部材ｎの上端には雌螺子ｐが形成された構成となっており、全体として複雑な構造で製作が面倒な上、コスト高を余儀なくされる。
【０００７】
また、降雨の使用時には、前記取付部材Ｔの嵌め板ｆを杖本体ａの把持部ｂに冠着し、その端部ｅの貫通孔にフックｈのボルト螺子ｊを挿通した後、ボルト螺子ｊにナットｉを螺合する。しかる後、杖本体ａに取付部材Ｔを固定した後、折りたたみ傘ｃの雄螺子ｄを取付部材Ｔの雌螺子ｐに螺合するといった手順を踏まなければならず、取り扱い上面倒であるといった問題もある。
【０００８】
しかるに、本考案が解決しようとする課題は、お年寄り等が日常の歩行時に欠かせない杖と、降雨時に差す傘とを、簡便構造ながら簡単かつ安全に合体できて使い勝手がよく、製造コストの低減も図った杖と傘の合体用接続具を提供することにある。
【課題を解決するための手段】
【０００９】
上記課題を解決するための手段として、請求項１記載の考案の杖と傘の合体用接続具は、杖１と傘２の合体用の接続具３であって、下方で杖１の握持部１１を保持する杖保持部４と、上方で傘２の柄２０を保持する傘保持部７とを備えており、杖１と傘２が当該接続具３の前記杖保持部４と傘保持部７に保持されることにより一体的に合体される構成であることを特徴とする。
【００１０】
請求項２に記載した杖と傘の合体用接続具は、前記杖保持部４に対し、杖１の握持部５が水平方向に着脱自在であることを特徴とする。
【００１１】
請求項３に記載した杖と傘の合体用接続具は、前記杖保持部４に関し、水平方向視形状がＣ形で水平方向に貫通する杖嵌挿部５を備え、当該杖嵌挿部５には杖１の握持部１１が水平方向から前記杖嵌挿部５に嵌挿可能な横切欠部５０が形成されていると共に、杖１の柄１１が水平方向から前記杖嵌挿部５に嵌挿可能な下切欠部５１が形成されて成ることを特徴とする。
【００１２】
請求項４に記載した杖と傘の合体用接続具は、前記杖保持部４がクリップ又は固定バンドで構成されていることを特徴とする。
【００１３】
請求項５に記載した杖と傘の合体用接続具は、前記傘保持部２に対し、傘２の柄２０が水平方向に着脱自在であることを特徴とする。
【００１４】
請求項６に記載した杖と傘の合体用接続具は、前記傘保持部７に関し、平面方向視形状がＣ形で垂直方向に貫通する傘嵌挿部８を備え、当該傘嵌挿部８には傘２の柄２０が水平方向から前記傘嵌挿部８に嵌挿可能な縦切欠部８０が形成されて成ることを特徴とする。
【００１５】
請求項７に記載した杖と傘の合体用接続具は、前記傘保持部７に締付け具９が装着されており、傘２の柄２０が前記傘保持部７に嵌挿された状態で締付け具９が作動されることにより、前記傘２の柄２０が傘保持部７に固定されることを特徴とする。
【００１６】
請求項８に記載した杖と傘の合体用接続具は、前記傘保持部７がクリップ又は固定バンドで構成されていることを特徴とする。
【考案の効果】
【００１７】
本考案の杖と傘の合体用接続具は、下方で杖の握持部を保持する杖保持部と、上方で傘の柄を保持する傘保持部とを備えており、杖と傘が当該接続具の前記杖保持部と傘保持部に保持されることにより一体的に合体される構成であるので（請求項１）、降雨時に、お年寄り等が日常使用している杖と傘を、前記保持部と傘保持部にそれぞれ保持させるだけで、簡単かつ安全に杖と傘を合体できて使い勝手がよい。そして、空いた他の手で荷物を持ったりすることも可能となり、至極便利である。
【００１８】
また、前記の杖保持部は、水平方向視形状がＣ形で水平方向に貫通する杖嵌挿部を備え、当該杖嵌挿部には杖の握持部が水平方向から前記杖嵌挿部に嵌挿可能な横切欠部が形成されていると共に、杖の柄が水平方向から前記杖嵌挿部に嵌挿可能な下切欠部が形成されて成るから（請求項２、請求項３）、杖の柄を簡単かつ確実に嵌挿して保持できる利便性がある。
【００１９】
なお、請求項４の考案のように、杖保持部をクリップ又は固定バンドで構成しても上記と同様の作用効果を奏する。
【００２０】
傘保持部についても、平面方向視形状がＣ形で垂直方向に貫通する傘嵌挿部を備え、当該傘嵌挿部には傘の柄が水平方向から前記傘嵌挿部に嵌挿可能な縦切欠部が形成されて成るから（請求項５、請求項６）、やはり杖保持部と同様に、傘の柄を簡単かつ確実に嵌挿して保持することができる利便性に優れている。
【００２１】
また、この傘保持部に締付け具が装着されており（請求項７）、傘の柄が前記傘保持部に嵌挿された状態で締付け具が作動されることにより、前記傘の柄が傘保持部に確実に固定され、安全性が確保される。
【００２２】
なお、請求項８の考案のように、傘保持部をクリップ又は固定バンドで構成しても上記と同様の作用効果を奏する。
【図面の簡単な説明】
【００２３】
【図１】本考案の杖と傘の合体用接続具の使用状態を示した正面説明図である。
【００２４】
【図２】従来例を示した部分正面図である。
【考案を実施するための最良の形態】
【００２５】
請求項１〜８に係る杖と傘の合体用接続具の好適な実施形態について、図面（図１）に従いながら説明する。
【００２６】
図１は、本実施形態の杖と傘の合体用接続具の使用状態における全体図を示しているものである。
【００２７】
本考案の接続具３は、杖１と傘２とを合体して接続するのに好適なものである。すなわち、お年寄りや身体障がい者等が歩行する際にいつも欠かせない杖と、降雨時に差す傘とを合体する杖と傘の合体用として好適に使用される。
【００２８】
図示したように、高さが約３０ｃｍの棒状体６が垂直に配置され、同棒状体６の下方には、杖１の握持部１１を保持する杖保持部４が備えられ、同棒状体６の上方には、傘２の柄２０を保持する傘保持部７とを備えた構成とされている。杖保持部４と傘保持部７は、前記棒状体６に対し、合成樹脂製や金属製その他の材質により一体的に形成されている。
【００２９】
杖保持部４について説明する。
【００３０】
本実施形態の杖保持部４は、図に示したうように、水平方向から見た形状がＣ形で、水平方向に貫通する杖嵌挿部５を備えている。この杖嵌挿部５の側面には水平方向にスリット状の横切欠部５０が形成されている。杖１の握持部１１が水平方向からこの横切欠部５０に嵌挿自在とするためである。また、当該杖嵌挿部５の略中央位置（詳細図は省略）の下部に、杖１の柄１１が水平方向から前記杖嵌挿部５に嵌挿可能な下切欠部５１が形成されている。
【００３１】
よって、杖１を接続具３に接続するには、杖１の握持部１１を、水平方向から前記杖嵌挿部５の横切欠部５０に嵌挿し、杖１の柄１０を下切欠部５１に嵌挿するだけで、杖の握持部１１が杖嵌挿部５の中で位置決め固定されて接続される。
【００３２】
次に、傘保持部７について説明する。
【００３３】
本実施形態の傘保持部７は、図に示したうように、平面方向から見た形状がＣ形で、垂直方向に貫通する傘嵌挿部８を備えている。この傘嵌挿部８の側面には、垂直方向にスリットたる縦切欠部８０が形成されている。傘２の柄２０が水平方向から嵌挿自在とするためである。
【００３４】
また、当該傘保持部７に締付け具９を装着する実施形態が好ましい。締付け具９としては、例えば図示例のような固定レバーを採用可能である。この固定レバー（９）に連動して前記傘嵌挿部８が収縮自在な構成とし、傘２の柄２０が前記傘保持部７への嵌挿状態で当該固定レバー（９）を作動することにより、傘２の柄２０が傘保持部７に固定自在とされている。或いは締付け具９として、図示例を省略したネジ式の形態でも好適に実施される。
【００３５】
したがって、傘２を接続具３に接続するには、傘２の柄２０を、水平方向から前記傘嵌挿部８の縦切欠部８０に嵌挿した後、締付け具９を作動するだけで、傘２の柄２０が傘嵌挿部８の中で拘束される。
【００３６】
傘２の高さ位置を変更したい場合には、前記締付け具９を解除し、傘２の柄２０を上下の所望位置に移動させ、締付け具９を再度作動させてやればよい。
【００３７】
なお、上述した杖保持部４や傘保持部７を、図示を省略したクリップや固定バンドで構成する形態も好適に実施可能である。
【符号の説明】
【００３８】
１      杖
１０    柄
１１    握持部
２      傘
２０    柄
３      接続具
４      杖保持部
５      杖嵌挿部
５０    横切欠部
５１    下切欠部
６      棒状体
７      傘保持部
８      傘嵌挿部
８０    縦切欠部
９      締付け具
【図１】
0003184256.tif 000003
【図２】
0003184256.tif 000004